【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
屋根に設けられて太陽からの光を導入する採光手段と、前記採光手段からの光をその内面で反射させながら所定方向へ導く筒状の導光手段と、天井に設けられて前記導光手段からの光を屋内に照射する照射手段とを備えた採光装置において、
前記採光手段はドーム部材と取付部材とから構成され、前記取付部材は、前記屋根に取り付けられる基台部と、前記基台部から上方に延びる筒状の支持部とから構成され、前記ドーム部材は前記支持部の開口部に装着され、前記基台部には、前記屋根の野地板に取り付けるための貫通孔が設けられ、前記貫通孔の周辺部は同一平面を規定し、また前記基台部の上端部は、前記基台部に隣接してその上側にて前記野地板に敷設された屋根瓦の下端部の形状に対応した波形形状に形成され、前記基台部の下端部は、前記基台部に隣接してその下側にて前記野地板に敷設された屋根瓦の上端部の形状に対応した波形形状に形成されており、前記導光手段の一端部は前記屋根に形成された開口を通して前記支持部に装着され、その他端部は前記照射手段に装着されることを特徴とする採光装置。
【請求項２】
前記基台部の一側端部は、前記基台部に隣接してその一側端部側にて前記野地板に敷設された屋根瓦の形状に対応した階段形状に形成され、前記基台部の他側端部は、前記基台部に隣接してその他側端部側にて前記野地板に敷設された屋根瓦の形状に対応する階段形状に形成されていることを特徴とする請求項１に記載の採光装置。
【請求項３】
屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記照射手段は前記導光手段の端部に装着され、前記照射手段に関連して排気手段が付設され、前記排気手段は前記導光手段の前記端部の外周側を覆うリング状の吸気部材を備え、前記吸気部材にはダクト接続孔が設けられ、前記ダクト接続孔に、外部に連通する換気用ダクトが接続されることを特徴とする採光装置。
【請求項４】
屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段の一端部は前記採光手段に装着され、その他端部は前記照射手段に装着され、前記導光手段の内部には照明装置が配設され、前記照明装置は、前記導光手段の側面部に装着された棒状の支持体と、前記支持体に設けた光源とから構成されていることを特徴とする採光装置。
【請求項５】
前記支持体は、その長手方向の垂直断面が略三角形状に形成されており、前記支持体の底部は下方を向き、またその頂部は上方を向いていることを特徴とする請求項４に記載の採光装置。
【請求項６】
屋根に設けられて太陽からの光を導入する採光手段と、前記採光手段からの光をその内面で反射させながら所定方向に導く筒状の導光手段と、天井に設けられて前記導光手段からの光を屋内に照射する照射手段とを備えた採光装置において、
前記導光手段の一端部は前記採光手段に装着され、その他端部は固定用リングを介して前記照射手段に装着され、前記固定用リングには固定用バンドを挿通するための挿通孔が設けられ、前記挿通孔を通して前記固定用バンドを装着することによって、前記固定用リング及び前記固定用バンドの間に前記天井が挟持されることを特徴とする採光装置。
【請求項７】
前記固定用バンドは、前記天井に当接する当接部と、前記当接部から延びるバンド部とを有し、前記バンド部には前記固定用リングの前記挿通孔に係止する係止爪が長手方向に間隔をおいて複数設けられ、前記固定用バンドの前記バンド部を前記固定用リングの前記挿通孔を通して前記係止爪を前記固定用リングの前記挿通孔に係止することによって、前記固定用バンドの前記当接部と前記固定用リングとの間に前記天井が挟持されることを特徴とする請求項６に記載の採光装置。
【請求項８】
前記挿通孔に関連して、前記固定用リングには固定孔が設けられ、螺着部材は前記固定孔を通して前記天井及び前記固定用バンドの前記当接部に螺着されることを特徴とする請求項７に記載の採光装置。
【請求項９】
屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段は、一端の外径が他端の外径よりも幾分小さい１又は２以上の筒状部材から構成され、前記筒状部材は可撓性を有する矩形状の薄板を湾曲させて形成され、前記薄板の一側部の一端側には第１切欠きが設けられ、前記薄板の前記一側部の他端側には第２切欠きが設けられ、さらに前記薄板の前記一側部の中間部には第３切欠きが設けられ、前記第１切欠きは前記第２切欠きよりも長く形成されており、前記薄板の他側部を前記一側部の前記第１〜第３切欠きに差し込むことによって、前記筒状部材がテーパ状に形成されることを特徴とする採光装置。
【請求項１０】
前記薄板の前記一側部の前記一端側には、前記第１切欠きの外側に前記第２切欠きが設けられ、また、前記薄板の前記一側部の前記他端側には、前記第２切欠きの内側に前記第１切欠きが設けられていることを特徴とする請求項９に記載の採光装置。
【手続補正２】
【補正対象書類名】明細書
【補正対象項目名】００１１
【補正方法】変更
【補正の内容】
【００１１】
本発明の第１の目的は、採光手段の取付けが容易に行え、また屋根瓦が敷設された屋根であっても雨漏りなどなく取り付けることができる採光装置を提供することである。
また、本発明の第２の目的は、屋内を照明するのみならず、屋内の空気を排気することができる多機能な採光装置を提供することである。
【手続補正３】
【補正対象書類名】明細書
【補正対象項目名】００１２
【補正方法】変更
【補正の内容】
【００１２】
また、本発明の第３の目的は、太陽光を得ることができない夜間においても、屋内を照明することができる採光装置を提供することである。
また、本発明の第４の目的は、照射手段を屋内の天井に容易に且つ確実に取り付けることができる採光装置を提供することである。
【手続補正４】
【補正対象書類名】明細書
【補正対象項目名】００１３
【補正方法】変更
【補正の内容】
【００１３】
さらに、本発明の第５の目的は、導光手段を構成する筒状部材を所望のテーパ形状に容易に且つ簡単に形成することができる採光装置を提供することである。
【手続補正５】
【補正対象書類名】明細書
【補正対象項目名】００１４
【補正方法】変更
【補正の内容】
【００１４】
本発明の請求項１に記載の採光装置では、屋根に設けられて太陽からの光を導入する採光手段と、前記採光手段からの光をその内面で反射させながら所定方向へ導く筒状の導光手段と、天井に設けられて前記導光手段からの光を屋内に照射する照射手段とを備えた採光装置において、
前記採光手段はドーム部材と取付部材とから構成され、前記取付部材は、前記屋根に取り付けられる基台部と、前記基台部から上方に延びる筒状の支持部とから構成され、前記ドーム部材は前記支持部の開口部に装着され、前記基台部には、前記屋根の野地板に取り付けるための貫通孔が設けられ、前記貫通孔の周辺部は同一平面を規定し、また前記基台部の上端部は、前記基台部に隣接してその上側にて前記野地板に敷設された屋根瓦の下端部の形状に対応した波形形状に形成され、前記基台部の下端部は、前記基台部に隣接してその下側にて前記野地板に敷設された屋根瓦の上端部の形状に対応した波形形状に形成されており、前記導光手段の一端部は前記屋根に形成された開口を通して前記支持部に装着され、その他端部は前記照射手段に装着されることを特徴とする。
【手続補正６】
【補正対象書類名】明細書
【補正対象項目名】００１５
【補正方法】変更
【補正の内容】
【００１５】
また、本発明の請求項２に記載の採光装置では、前記基台部の一側端部は、前記基台部に隣接してその一側端部側にて前記野地板に敷設された屋根瓦の形状に対応した階段形状に形成され、前記基台部の他側端部は、前記基台部に隣接してその他側端部側にて前記野地板に敷設された屋根瓦の形状に対応する階段形状に形成されていることを特徴とする。
【手続補正７】
【補正対象書類名】明細書
【補正対象項目名】００１６
【補正方法】変更
【補正の内容】
【００１６】
さらに、本発明の請求項３に記載の採光装置では、屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記照射手段は前記導光手段の端部に装着され、前記照射手段に関連して排気手段が付設され、前記排気手段は前記導光手段の前記端部の外周側を覆うリング状の吸気部材を備え、前記吸気部材にはダクト接続孔が設けられ、前記ダクト接続孔に、外部に連通する換気用ダクトが接続されることを特徴とする。
【手続補正８】
【補正対象書類名】明細書
【補正対象項目名】００１７
【補正方法】変更
【補正の内容】
【００１７】
さらにまた、本発明の請求項４に記載の採光装置では、屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段の一端部は前記採光手段に装着され、その他端部は前記照射手段に装着され、前記導光手段の内部には照明装置が配設され、前記照明装置は、前記導光手段の側面部に装着された棒状の支持体と、前記支持体に設けた光源とから構成されていることを特徴とする。
【手続補正９】
【補正対象書類名】明細書
【補正対象項目名】００１８
【補正方法】変更
【補正の内容】
【００１８】
また、本発明の請求項５に記載の採光装置では、前記支持体は、その長手方向の垂直断面が略三角形状に形成されており、前記支持体の底部は下方を向き、またその頂部は上方を向いていることを特徴とする。
【手続補正１０】
【補正対象書類名】明細書
【補正対象項目名】００２３
【補正方法】変更
【補正の内容】
【００２３】
さらにまた、本発明の請求項１０に記載の採光装置では、前記薄板の前記一側部の前記一端側には、前記第１切欠きの外側に前記第２切欠きが設けられ、また、前記薄板の前記一側部の前記他端側には、前記第２切欠きの内側に前記第１切欠きが設けられていることを特徴とする。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
本発明の請求項１に記載の採光装置によれば、採光手段をドーム部材と取付部材とから構成し、また取付部材を、屋根（野地板及び／又は屋根瓦等の屋根材）に取り付けられる基台部と、基台部から上方に延びる筒状の支持部とから構成したので、採光装置の構造が極めて簡単なものとなり、従来の天窓と比して採光手段を屋根へ設置することが容易となる。また、取付部材の基台部と支持部とを例えば合成樹脂の一体成型により形成することによって、取付部と基台部との接続部からの雨水の浸入を確実に防止することができる。また、基台部に設けた貫通孔の周辺部を同一平面に規定したので、基台部を屋根の野地板に接触するように確実に固定することができ、その結果、取付部材を野地板に沿うようにガタなく取り付けることができる。また、基台部の上端部及び下端部を、基台部に隣接して野地板に敷設された屋根瓦の形状に対応する波形形状に形成したので、基台部の上端部及び下端部と、基台部に隣接する屋根瓦との間の隙間を小さくすることができ、この隙間から雨が浸入するのを防止することが可能となる。基台部の上側の屋根瓦は、この基台部の上端部を覆うように上側に配置され、また基台部の下側の屋根瓦は、この基台部の下端部に覆われるように下側に配置されるので、雨水は上側の屋根瓦から取付部材を経て下側の屋根瓦に流下し、外部からの雨水の侵入を防止することができる。
【手続補正１５】
【補正対象書類名】明細書
【補正対象項目名】００２８
【補正方法】変更
【補正の内容】
【００２８】
また、本発明の請求項２に記載の採光装置によれば、基台部の一側端部及び他側端部を、基台部に隣接して野地板に敷設された屋根瓦の形状に対応する階段形状に形成したので、基台部の一側端部及び他側端部と、基台部に隣接する屋根瓦との間の隙間を小さくすることができ、この隙間から雨が浸入するのを防止することが可能となる。また、請求項４に記載の採光装置と組み合わせることにより、基台部を屋根に取り付けたとしても屋根の外観を損なうことがなく、また雨水の侵入をより効果的に防止することができる。
【手続補正１６】
【補正対象書類名】明細書
【補正対象項目名】００２９
【補正方法】変更
【補正の内容】
【００２９】
さらに、本発明の請求項３に記載の採光装置によれば、照射手段に関連して排気手段が付設され、排気手段は導光手段の端部の外周部を覆うリング状の吸気部材を備え、吸気部材に設けたダクト接続孔に、外部に連通する換気用ダクトを接続したので、屋内を照明する照明機能だけでなく屋内の空気を外部へ排気する排気機能を備えた、多機能を有する採光装置を提供することが可能となる。また、導光手段の外周部を覆うように排気手段の吸気部材を配設したので、室内インテリア性を考慮したものとなり、室内装飾性を高めたものを提供することができる。
【手続補正１７】
【補正対象書類名】明細書
【補正対象項目名】００３０
【補正方法】変更
【補正の内容】
【００３０】
さらにまた、本発明の請求項４に記載の採光装置によれば、導光手段の内部に照明装置を設けたので、太陽光を得ることができない夜間においても、屋内を照明することができる採光装置を提供することが可能となる。したがって、室内の天井には、採光装置による照射手段とは別個に蛍光灯などの電灯を設置する必要がないため、設置コストを低減でき、また室内インテリア性を向上させることが可能となる。また、光源からの光は、導光手段の内面で反射されるため、この反射光と光源からの直接光との双方により屋内を照明することとなり、ワット数の比較的小さい電球（例えば４０Ｗ）を光源として用いた場合でも、比較的ワット数の大きい電球（例えば６０Ｗ）により屋内を照明した場合とほぼ同様の明るさを得ることができ、省電力化を図ることが可能となる。
【手続補正１８】
【補正対象書類名】明細書
【補正対象項目名】００３１
【補正方法】変更
【補正の内容】
【００３１】
また、本発明の請求項５に記載の採光装置によれば、支持体は、その長手方向の垂直断面が略三角形状に形成されており、支持体の底部は下方を向き、またその頂部は上方を向いているので、導光手段によって導かれた光は、支持体が障壁となって減衰されることがない。したがって、光の乱反射率は、照明装置を導光手段の内部に設けない場合とほぼ同様の乱反射率とすることが可能となる。
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】変更
【補正の内容】
【００４１】
以下、添付図面を参照して、本発明に従う採光装置の一実施形態について説明する。図１は、本実施形態による採光装置を示す概略要部断面図、図２は、図１の採光装置の採光手段を示す斜視図、図３は、図２の採光手段を下側から見たところを示す底面図、図４は、図２の採光手段を屋根に取り付けた状態を示す概略斜視図、図５は、図１の採光装置における第１筒状部材を屈曲させない状態で示す斜視図、図６は、図５の第１筒状部材を４５度の角度に屈曲させた状態で示す斜視図、図７は、図５の第１筒状部材の断面図、図８は、第３筒状部材を構成する薄板の他側部を各切欠きに差し込む前の状態で示す斜視図、図９は、図８の薄板の他側部を各切欠きに差し込んだ状態で示す斜視図、図１０は、図１の採光装置の固定用リングを天井へ固定する方法を説明するための概略斜視図、図１１は、図１の採光装置の導光手段及び照射手段を天井へ固定した状態で示す概略要部断面図、図１２は、図１の採光装置に内蔵された照明装置及びその近傍を示す概略要部断面図、図１３は、図１２における照明装置のＹ−Ｙ’線断面図である。
【手続補正２４】
【補正対象書類名】明細書
【補正対象項目名】０１０３
【補正方法】変更
【補正の内容】
【０１０３】
【図１】本発明の一実施形態による採光装置を示す概略要部断面図。
【図２】図１の採光装置の採光手段を示す斜視図。
【図３】図２の採光手段を下側から見たところを示す底面図。
【図４】図２の採光手段を屋根に取り付けた状態を示す概略斜視図。
【図５】図１の採光装置における第１筒状部材を屈曲させない状態で示す斜視図。
【図６】図５の第１筒状部材を４５度の角度に屈曲させた状態で示す斜視図。
【図７】図５の第１筒状部材を示す断面図。
【図８】第３筒状部材を構成する薄板の他側部を各切欠きに差し込む前の状態で示す斜視図。
【図９】図８の薄板の他側部を各切欠きに差し込んだ状態で示す斜視図。
【図１０】図１の採光装置の固定用リングを天井へ固定する方法を説明するための概略斜視図。
【図１１】図１の採光装置の導光手段及び照射手段を天井に固定した状態で示す概略要部断面図。
【図１２】図１の採光装置に内蔵された照明装置及びその近傍を示す概略要部断面図。
【図１３】図１２における照明装置のＹ−Ｙ’線断面図。
【図１４】他の実施形態の採光装置の排気手段及びそれに関連する構成要素を分解して示す分解斜視図。
【図１５】図１４の他の実施形態による排気手段及びそれに関連する構成要素を天井へ固定した状態で示す概略要部断面図。
【図１６】更に他の実施形態の採光手段を示す斜視図。
【図１７】図１６の取付部材を示す断面図。
【図１８】図１６の採光手段を屋根に取り付けた状態を示す概略斜視図。